(57)【要約】【課題】人が不在であるときの燃料消費を低減できる空気調和機を提供する。【解決手段】空調運転を行う空調手段と、タイマ開始時刻に前記空調手段による空調運転を開始しタイマ終了時刻に空調運転を終了するタイマ運転を行うタイマ運転制御手段とを備える空気調和機であって、空気調和機が設置された室内の人の存在を検知する人体検知センサと、前記タイマ運転中に前記人体検知センサにより人の不存在を判定したときに、前記空調運転を禁止する制御手段と、を設ける。また、前記制御手段は、空調運転を禁止してからタイマ終了時刻までの間に、前記人体検知センサにより人の存在を判定したときに、空調運転の禁止を解除する。【選択図】図１
2004036990.tif 000002
【特許請求の範囲】
【請求項１】
空調運転を行う空調手段と、タイマ開始時刻に前記空調手段による空調運転を開始しタイマ終了時刻に空調運転を終了するタイマ運転を行うタイマ運転制御手段とを備える空気調和機であって、
空気調和機が設置された室内の人の存在を検知する人体検知センサと、
前記タイマ運転中に前記人体検知センサにより人の不存在を判定したときに、前記空調運転を禁止する制御手段と、
を設けたことを特徴とする空気調和機。
【請求項２】
前記制御手段は、前記タイマ運転の開始時から所定時間内に、前記人体検知センサにより人の不存在を判定したときには、空調運転を禁止せず、継続することを特徴とする請求項１に記載の空気調和機。
【請求項３】
前記空調手段は暖房機能または冷房機能を有し、室温を検出する温度センサを備え、
前記制御手段は、前記タイマ運転の開始時から前記温度センサの検出温度が目標温度になるように空調運転を行ない、前記人体検知センサにより人の不存在を判定したときには、前記目標温度に到達するまで空調運転を禁止せず、継続することを特徴とする請求項１に記載の空気調和機。
【請求項４】
前記人体検知センサはタイマ開始時刻よりも前に検知動作を開始し、
前記制御手段は、タイマ開始時刻になったときに前記人体検知センサにより人の不存在を判定した場合には、空調運転の開始を禁止することを特徴とする請求項１に記載の空気調和機。
【請求項５】
前記制御手段は、空調運転を禁止してからタイマ終了時刻までの間に、前記人体検知センサにより人の存在を判定したときに、空調運転の禁止を解除することを特徴とする請求項１乃至４のうちいずれか１項に記載の空気調和機。
【請求項６】
人の不存在を判定したときに空調運転を禁止する不在時禁止モードと、人の存在にかかわらず空調運転を行なう通常モードとを切り換えるモード切換スイッチを備えることを特徴とする請求項１乃至５のうちいずれか１項に記載の空気調和機。
【発明の詳細な説明】
【０００１】
【発明の属する技術分野】
本発明は、タイマ運転を行い人体検知センサを備える空気調和機に関する。
【０００２】
【従来の技術】
暖房機や冷房機などの空気調和機（空調機）において、タイマ運転として、タイマ開始時刻に自動で空調運転を開始し手動で空調運転を停止するオンタイマ運転を行なうものや、自動でタイマ開始時刻に空調運転を開始すると共にタイマ終了時刻に空調運転を停止するオンオフタイマ運転を行なうものがある。
【０００３】
このような空調機がオフィスや家庭などに設置されている場合、毎日同じように動作するように設定されることが多い。そこで、例えば、会社の休日や家を留守にする場合にタイマ運転の設定を解除することを忘れたときには、室内が無人であるにもかかわらず空調運転が行なわれることとなる。
【０００４】
特に、オンタイマ運転の場合には、停止制御がないので無人の場合には２４時間稼動することになるので、これを防止するために、人の存在を検知する人体検知センサを空調機に設ける場合がある。例えば特許３０９８０８７号公報に開示された空調機では、空調運転を開始した後に判定時間内に人体検知センサにより室内が無人であると判定されたときには、空調運転を停止すると共に、オンタイマをリセットして翌日からオンタイマ運転をキャンセルすることができる。
【０００５】
しかしながら、特許３０９８０８７号公報に開示された空調機では、空調運転開始後判定時間以内に無人か否かが判別されるので、例えば、空調運転開始時に在室していて判定時間を超えてから外出した場合には空調運転を停止するためには手動で停止操作を行なわなければならない。
【０００６】
一方、オンオフタイマ運転を行なう空調機では、通常、タイマ開始時刻からタイマ終了時刻まで空調運転が必要なのでこのようにタイマが設定されている。しかし、タイマ終了時刻を過ぎても人が在室して活動している場合には空調機が停止してしまうことは不都合である。そこで、例えば、特許２９８１３１８号公報に開示された空調環境制御装置は、人体検知センサを設けてタイマ終了時刻に人が存在していると判定した場合にタイマ運転を延長して行い、人が退出した後、人の不存在を判定した場合に空調運転を停止するようにしている。
【０００７】
しかしながら、特許２９８１３１８号公報に開示された装置は、タイマ運転の終了予定時刻から人体検知センサが人の存在を検知する。従って、終了予定時刻よりも前に人が退室した場合にも、終了予定時刻までタイマ運転を継続してしまうので、無人の部屋で空調運転を行なうことになり、燃料を無駄に消費してしまうことになる。
【０００８】
【発明が解決しようとする課題】
本発明はかかる背景に鑑み、人が不在であるときの燃料消費を低減できる空気調和機を提供することを目的とする。
【０００９】
【課題を解決するための手段】
前記の目的を達成するために、本発明の空気調和機は、空調運転を行う空調手段と、タイマ開始時刻に前記空調手段による空調運転を開始しタイマ終了時刻に空調運転を終了するタイマ運転を行うタイマ運転制御手段とを備える空気調和機であって、空気調和機が設置された室内の人の存在を検知する人体検知センサと、前記タイマ運転中に前記人体検知センサにより人の不存在を判定したときに、前記空調運転を禁止する制御手段と、を設けたことを特徴とする。
【００１０】
かかる本発明によれば、人体検知センサは、空気調和機が設置された室内の人の存在を検知するので、タイマ開始時刻からタイマ終了時刻までの間のタイマ運転中に、制御手段は、空気調和機が設置された室内の人の不存在を判定したときに前記空調運転を禁止する。例えば人がタイマ開始時刻から在室しておりタイマ終了時刻よりも前に退室した場合には、タイマ開始時刻に空調運転が開始され、人体検知センサが一定回数連続して人の存在を検知すると、制御手段は人が存在していると判定して空調運転を継続する。そして、人が退出した後、人体検知センサが一定回数連続して人の存在を検知しないと、制御手段は人が不存在であると判定して空調運転を禁止する。そして、タイマ運転中、制御手段により空調運転は禁止されつづける。従って、人が在室している間は空調運転が行なわれ、人が不在になった後、空調運転が停止される。そのため、人が不在の間に本来消費されるべき燃料の消費を低減できることになり、ひいては、コストも低減できることになる。
【００１１】
また、前記制御手段は、前記タイマ運転の開始時から所定時間内に、前記人体検知センサにより人の不存在を判定したときには、空調運転を禁止せず、継続することを特徴とする。
【００１２】
かかる本発明によれば、タイマ運転によりタイマ開始時刻に空調運転が開始されると、所定時間内は、空調運転が継続される。例えば、室内に人がいない場合に、タイマ運転の開始時刻から動作し始めた人体検知センサで人の存在の有無を検知して、制御手段により人の不存在が判定される。従って、本来空調運転を禁止すべきところであるが、所定時間内であるため、空調運転を継続することができる。たとえ、タイマ開始時刻に人が不在であっても、人が遅れて入室してくる可能性があり、本発明はこのときに有効である。
【００１３】
また、本発明の空気調和機では、前記空調手段は暖房機能または冷房機能を有し、室温を検出する温度センサを備え、前記制御手段は、前記タイマ運転の開始時から前記温度センサの検出温度が目標温度になるように空調運転を行ない、前記人体検知センサにより人の不存在を判定したときには、前記目標温度に到達するまで空調運転を禁止せず、継続することを特徴とする。
【００１４】
かかる本発明によれば、タイマ開始時刻に室内に人がいない場合に、タイマ運転の開始時刻から動作し始めた人体検知センサで人の存在の有無を検知して、制御手段により人の不存在が判定される。従って、本来、空調運転を禁止すべきところであるが、目標温度に到達するまで空調運転を継続することができる。たとえ、タイマ開始時刻に人が不在であっても、人が遅れて入室してくる可能性があり、このときに予め所望の室温まで運転しておくことができるので、使用者にとって快適な使用を実現することができる。
【００１５】
また、本発明の空気調和機では、前記人体検知センサはタイマ開始時刻よりも前に検知動作を開始し、前記制御手段は、タイマ開始時刻になったときに前記人体検知センサにより人の不存在を判定した場合には、空調運転の開始を禁止することを特徴とする。
【００１６】
かかる本発明によれば、人体検知センサはタイマ運転に先行して人体の検知を行ない、タイマ開始時刻に人が不在である場合には、制御手段により、タイマ開始時刻における空調運転の開始を禁止することができる。従って、人がはじめから不在であるときには空調を行わないことになるので、燃料の消費が最低限で済み、コストも低減できる。
【００１７】
また、前記制御手段は、空調運転を禁止してからタイマ終了時刻までの間に、前記人体検知センサにより人の存在を判定したときに、空調運転の禁止を解除することを特徴とする。
【００１８】
かかる本発明によれば、例えば人が空気調和機の設置された室内にタイマ運転の開始時から在室し、タイマ運転中に外出して、再び入室したときには、以下のように動作する。すなわち、空気調和機は初めは通常通り空調運転を開始し、人が室外に外出したとき、制御手段により不存在が判定されて空調運転が禁止され、その後、人が再び入室したとき、制御手段は人体検知センサにより人が存在していると判定するので、空調運転の禁止が解除される。以下、再び退室して入室したときも同様である。つまり、本発明の空気調和機は、タイマ運転の終了時刻まで空調運転を行なうことを前提として、人が在室しているときに空調運転を行う。従って、燃料の消費を抑え、コストを低減することができる。
【００１９】
また、本発明の空気調和機は、人の不存在を判定したときに空調運転を禁止する不在時禁止モードと、人の存在にかかわらず空調運転を行なう通常モードとを切り換えるモード切換スイッチを備えることを特徴とする。
【００２０】
かかる本発明によれば、使用者の使用方法に適した快適な空調運転を実現することができる。例えば、夏場や冬場など外気と所望の室温との差が激しいときには、所望の温度になるまでに急激に燃料が消費される。このような時期に室内外の出入りが激しく頻繁に空調が入切される場合には燃料の消費がかさむことになる。このような場合には人体検知センサの検知結果にかかわらず空調運転を行なう通常モードに設定する方が使い勝手がよい。また、まとまった時間の外出が予定されているときには、予めモード切換スイッチにより不在時禁止モードとしておけば低燃料、低コストの空調を実現できる。
【００２１】
【発明の実施の形態】
本発明の実施の形態の一例を図１〜図７を参照して説明する。図１は本発明の第１の実施形態の一例である暖房機の構成図である。図１を参照して、暖房機１は、本発明の空調手段に相当する燃焼部２と、操作部３と、表示部４と、人体検知センサ５と、室温センサ６と、コントローラ７を備える。
【００２２】
燃焼部２には、バーナ８と、ガス供給路を開閉する主電磁弁１０と、ガス供給路からバーナ８に供給される燃料ガスの供給量を調節する比例制御弁１１とが設けられている。燃焼部２には、さらに、バーナ８の燃焼に必要な燃焼用空気を吸引し該燃焼用空気をバーナ８に供給する燃焼ファン１２と、バーナ８を点火するための火花放電を生じさせるイグナイタ１３と、燃焼炎を検知する為のフレームロッド１４とが備えられている。
【００２３】
操作部３は、バーナ８の燃焼運転の開始を指示するための運転開始スイッチ１５と、目標室温の設定を行う温度設定スイッチ１６と、現在時刻、タイマ開始時刻、タイマ終了時刻を設定するタイマ設定手段１７と、人の不存在を判定したときに暖房運転を禁止する不在時禁止モードと、人の存在にかかわらず暖房運転を行なう通常モードとを切り換えるモード切換スイッチ１８とを備える。表示部４は、現在室温、設定室温、タイマ開始時刻、タイマ終了時刻、現在時刻等を表示する。
【００２４】
人体検知センサ５は、例えば、ＰＺＴ系（ジルコン酸チタン酸鉛）やＬｉＴａＯ３系（タンタル酸リチウム）等から構成された焦電型赤外線センサであり、センサ視野内の人体と背景温度との温度差による赤外線エネルギー量の変化を検知する。室温センサ６は、本発明の温度センサに相当し、例えばサーミスタにより構成され、暖房機１が設置された室内の室温を検出する。
【００２５】
コントローラ７は、マイクロコンピュータやメモリ、Ｉ／Ｏユニット等の電子回路により構成され、タイマ運転制御部２１と、タイマ計時部２２と、人体判定制御部２３と、不在時禁止モード制御部２４とを備える。
【００２６】
タイマ運転制御部２１は、本発明のタイマ運転制御手段に相当し、運転開始時刻に、主電磁弁１０等の開弁、イグナイタ１３の点火、燃焼ファン１２の駆動等の動作を開始する制御を行い、運転終了時刻に主電磁弁１０等の閉弁によるバーナ８の消火や燃焼ファン１２の停止等を制御する。タイマ計時部２２は、現在時刻、タイマ開始時刻、タイマ終了時刻および所定時間等を計時する。
【００２７】
人体判定制御部２３は、人体検知センサ５の出力値に基づいて、例えば１分毎に人体検知動作を行う。このとき、例えば１０回連続して人の存在を検知しないときに室内の人は不存在であると判定し、不在を確定する。また、例えば３回連続して人の存在を検知した場合には人が室内に存在していると判定し、在室を確定する。そして、確定結果を示す信号を不在時禁止モード制御部２４に供給する。
【００２８】
より詳細には、人体判定制御部２３は、図２のフローチャートに従って人の在室又は不在を確定する。人体判定制御部２３は、まず、αの値とβの値をリセット（αとβに０を設定）し（ステップＳ１）、次に、１分タイマをセットする（ステップＳ２）。１分間経過したら、人体検知センサ５が存在を検知したか否かを判別する（ステップＳ３）。
【００２９】
ステップＳ３において、人体判定制御部２３は、人体検知センサ５が人の存在を検知していないと判定した場合には、αの値をインクリメント（αの値に１を加える）すると共に、βの値をリセットする（ステップＳ４）。続いて、人体判定制御部２３は、αの値が１０か否かを判別する（ステップＳ５）。ステップＳ５において、αの値が１０でないと判定した場合にはステップＳ２に戻る。一方、αの値が１０であると判定した場合には、不在を確定し不在時禁止モード制御部２４に不在確定を示す信号を送り（ステップＳ６）、ステップＳ１に戻る（不存在判定）。
【００３０】
また、ステップＳ３において、人体判定制御部２３は、人体検知センサ５が存在を検知したと判定した場合には、βの値をインクリメント（βの値に１を加える）すると共に、αの値をリセットする（ステップＳ７）。続いて、人体判定制御部２３は、βの値が３か否かを判別する（ステップＳ８）。ステップＳ８において、βの値が３でないと判定した場合にはステップＳ２に戻る。一方、βの値が３であると判定した場合には、在室を確定し不在時禁止モード制御部２４に在室確定を示す信号を送り（ステップＳ９）、ステップＳ１に戻る（存在判定）。
【００３１】
尚、在室又は不在の確定方法は図２に示す方法に限定されるものではない。例えば一旦在室又は不在を確定した後、その確定は、次に在室又は不在が確定するまでの間継続するものとしてもよい。
【００３２】
次に、コントローラ７の不在時禁止モード制御部２４は、本発明の制御手段に相当し、図３のフローチャートに従って以下のように暖房運転を制御する処理を行なう。
【００３３】
まず、不在時禁止モード制御部２４は、タイマ運転制御部２１からタイマ開始時刻になったことを示す信号を受け取り、本発明の所定時間Ｔを例えば３０分にセットして計時する（ステップＳ１１）。そして、燃焼部２が暖房運転を開始したことを示す信号をタイマ運転制御部２１から受け取る（ステップＳ１２）と、人体判定制御部２３から受ける信号が不在確定を示す信号か否かを判別する（ステップＳ１３）。
【００３４】
ステップＳ１３において、不在確定を示す信号と判定した場合には、タイマ開始時刻から所定時間Ｔ（３０分）分経過したか否かを判別する（ステップＳ１４）。ステップＳ１４において、所定時間Ｔ（３０分）経過していないと判定した場合にはステップＳ１３に戻り、所定時間Ｔ（３０分）経過したと判定した場合には、暖房運転を停止するようにタイマ運転制御部２１に指示を与える（ステップＳ１５）。ステップＳ１５に続いて、不在時禁止モード制御部２４はタイマ終了時刻であるか否かを判別する（ステップＳ１６）。ステップＳ１６において、タイマ終了時刻ではないと判定した場合にはステップＳ１３に戻り、タイマ終了時刻であると判定した場合には処理を終了する。
【００３５】
また、不在時禁止モード制御部２４は、ステップＳ１３において、不在確定を示す信号ではないと判定した場合には、在室確定を示す信号か否かを判別する（ステップＳ１７）。ステップＳ１７において、在室確定を示す信号と判定した場合には、暖房運転を行なうようにタイマ運転制御部２１に指示を与える（ステップＳ１８）。ステップＳ１８に続いて、タイマ終了時刻であるか否かを判別し（ステップＳ１９）、タイマ終了時刻ではないと判定した場合にはステップＳ１３に戻り、タイマ終了時刻であると判定した場合には処理を終了する。また、不在時禁止モード制御部２４は、ステップＳ１７において、在室確定を示す信号ではないと判定した場合には、ステップＳ１９に進む。
【００３６】
上記構成の暖房機１を使用するために、使用者は予め、操作部３のタイマ設定手段１７および温度設定スイッチ１６を操作して、タイマ開始時刻、タイマ終了時刻（開始時刻から例えば３０分以上間隔をあけるものとする）および設定温度を所望の値にセットしておく。なお、予めモード切換スイッチ１８を操作して、不在時禁止モードとしておく。
【００３７】
暖房機１は、不在時禁止モードにおいて、タイマ開始時刻からタイマ終了時刻までの間のタイマ運転中のどのタイミングに、暖房機１が設置された室内に人が在室するか否かによって以下のように動作が２つに大別される。
【００３８】
第１に、タイマ開始時刻から初めの所定時間Ｔ（３０分）においては、タイマ開始時刻に暖房運転が開始されると共に、人体検知センサ５により人体の検知動作が開始する。この期間では、人が室内に不存在であると判定されてもタイマ開始時刻から所定時間Ｔ（３０分）は暖房運転が継続される。ただし、所定時間Ｔ（３０分）後に不存在が判定されている場合には、暖房機１は暖房運転を禁止する。
【００３９】
第２に、所定時間Ｔ（３０分）後からタイマ終了時刻までにおいては、暖房機１の暖房運転中に人が退室した場合に、退室して１０分後にコントローラ７の人体判定制御部２２が不在を確定し、暖房運転が禁止される。また、暖房機１の暖房運転の禁止中に人が入室した場合には、入室して３分後に人体判定制御部２２が在室を確定し、暖房運転の禁止が解除される。これらの動作は、何回でも繰り返し行なわれる。なお、人体検知センサ５による人体の検知動作はタイマ終了時刻に終了する。
【００４０】
以下に図４、図５を参照して暖房機１の動作の具体例を示す。まず、図４は、時刻１：００〜５：００までのタイマ運転における（１）タイマ指示、（２）人体検知センサ５による人体検知動作、（３）人体判定制御部２２による人体判定の確定結果、（４）燃焼部２による暖房運転のそれぞれのタイムチャートの一例である。このとき、前提として、時刻１：００に室内に人が在室し、２：００に退室し、３：００に入室し、５：００まで在室するものとする。
【００４１】
この場合には、図４に示すように、１：００に暖房運転が開始され、１：０３に在室が確定し、暖房運転を継続する。人が２：００に退室するので２：１０に不在が確定し、このときタイマ開始後所定時間Ｔ（３０分）以上経過しているので暖房運転が禁止される。そして、３：００に人が入室するので３：０３に再び在室が確定し、暖房運転の禁止が解除され、５：００に運転が終了する。
【００４２】
次に、図５は、図４と同様なタイムチャートの一例である。このときの前提としては、タイマ運転開始時（１：００）に室内に人が不在であり、１：２０に人が入室し、２：００に退室し、３：００に再び入室し、さらに４：００に退室し、タイマ終了時刻（５：００）まで不在であるものとする。
【００４３】
この場合には、図５に示すように、１：００に暖房運転が開始され、１：１０に不在が確定するが、このときタイマ開始から所定時間Ｔ（３０分）が経過していないので暖房運転を継続する。１：２０に人が入室するので運転中の１：２３に在室が確定し、運転を継続する。そして、２：００に人が退室するので、２：１０に不在が確定し、このときタイマ開始から所定時間Ｔ（３０分）以上経過しているので暖房運転が禁止される。そして、３：００に人が入室するので、３：０３に在室が確定し暖房運転の禁止が解除される。さらに、４：００に人が退室するので、４：１０に不在が確定し５：００まで暖房運転が禁止され続ける。
【００４４】
上記実施形態によれば、暖房機１は、タイマ運転中に人体検知センサ５により、暖房機１が設置された室内の人の存在を検知するので、室内の人の不存在を判定した（不在を確定した）ときに、暖房運転を禁止できる。そのため、燃料の無駄な消費を低減でき、コストを低減できる。また、タイマ開始時刻に人が不在であった場合には、暖房機１は、所定時間暖房運転を継続するので、例えば使用者がタイマ開始時刻に遅刻して入室した場合にも室内が所定の温度まで温められていることになる。
【００４５】
上記実施形態では、タイマ運転の開始時刻に人が不在であった場合に、すぐにタイマ運転を禁止せずに所定時間Ｔ（３０分）猶予した。すなわち、不在時禁止モード制御部２４が、図３のステップＳ１１でタイマ開始時刻になったことを確認してから所定時間Ｔ（３０分）をセットするようにしたが、このセット時間は一例であり、３０分以外でもよい。
【００４６】
また、上記ステップＳ１１の処理で所定時間Ｔ（３０分）のセットにより運転禁止を猶予する方法に代えて、室内に人が不在であっても室温が設定温度（本発明の目標温度に相当する）になるまで暖房運転を禁止せずに継続するように構成してもよい。この場合には、不在時禁止モード制御部２４において、上記実施形態の図３のステップＳ１４の所定時間Ｔ（３０分）経過を判別する処理に代えて、温度センサ６の検出温度が設定温度であるか否かを判別する処理を行なうものとする。そして、温度センサ６の検出温度が設定温度に達していないと判定した場合にはステップＳ１３に戻り、温度センサ６の検出温度が設定温度であると判定した場合には、ステップＳ１５に進む処理を行なう。
【００４７】
（第２の実施形態）上記第１の実施形態の暖房機１は、タイマ運転の開始時に室内の人が不在の場合に、暖房運転を所定時間行なうものとしたが、タイマ運転の開始時に室内の人が不在の場合にタイマ運転を禁止し暖房運転を開始しないように構成してもよい。
【００４８】
この場合の暖房機３０は、上記第１の実施形態と同様な構成であるが、人体判定制御部２３がタイマ開始時刻に人の在室又は不在を確定できるように、人体検知センサ５は、タイマ開始時刻よりも前に検知動作を開始する。また、不在時禁止モード制御部２４は、図６のフローチャートに従って以下のように運転制御処理を行なう。
【００４９】
例えば、まず、人体判定制御部２３が不在確定に要する時間（例えば１０分）だけタイマ開始時刻から遡った時刻に人体検知センサ５の動作を開始させる（ステップＳ２１）。不在時禁止モード制御部２４は、タイマ運転制御部２１からタイマ開始時刻になったことを示す信号を受け取ると（ステップＳ２２）、人体判定制御部２３から受ける信号が不在確定を示す信号か否かを判別する（ステップＳ２３）。ステップＳ２３において、不在確定を示す信号であると判定した場合には、暖房運転を禁止するようにタイマ運転制御部２１に指示を与える（ステップＳ２４）。以下ステップＳ２５〜Ｓ２８までの処理は、図３のステップＳ１６〜Ｓ１９までの処理と同一なので説明を省略する。
【００５０】
以下、図７を参照して具体例を説明する。図７は、図５と同様なタイムチャートの一例である。このときの前提は、図５のタイムチャートの前提と同一である。すなわち、タイマ運転開始時（１：００）に室内に人が不在であり、１：２０に人が入室し、２：００に退室し、３：００に再び入室し、さらに４：００に退室し、タイマ終了時刻（５：００）まで不在であるものとする。また、人体検知センサ５による人体の検知動作は、タイマ開始時刻の１０分前（０：５０）に開始されタイマ終了時刻に終了する。
【００５１】
この場合には、図７に示すように、０：５０に人体検知センサ５による人体検知動作が開始され１：００に不在が確定し、タイマ運転の開始が禁止される。そして、１：２０に人が入室するので、１：２３に在室が確定し暖房運転の禁止が解除され、ここで初めて暖房運転が行なわれる。そして、２：００に人が退室するので、２：１０に不在が確定し暖房運転が禁止される。そして、３：００に人が入室するので、３：０３に在室が確定し暖房運転の禁止が解除される。さらに、４：００に人が退室するので、４：１０に不在が確定し５：００まで暖房運転が禁止され続ける。
【００５２】
上記実施形態によれば、タイマ運転開始前に、人体検知センサ５により、暖房機３０が設置された室内の人の存在を検知し始めるので、タイマ運転開始時に室内の人が不在である場合には、暖房運転の開始が禁止される。そのため、燃料の無駄な消費を低減でき、コストを低減できる。
【００５３】
上記第１、第２の実施形態では、コントローラ７の人体判定制御部２３は、１分毎に人体検知動作を行い、１０回連続して存在を検知しないときに不在を確定し、３回連続して存在を検知したときに在室を確定するように構成したが、人体検知動作の実行間隔や、存在又は不存在の検知回数はこれに限定されるものではない。例えば、１回の検知で人の存在又は不存在を確定するようにしても良い。また、暖房機の設定温度、風量、運転日および運転時間などの運転条件によって検知回数を変更するように構成しても良い。
【００５４】
また、上記第１、第２の実施形態においては、本発明の空気調和機としてガス暖房機１，３０を例示したが、本発明はこれに限定されるものではない。例えば、他の燃料や電気による暖房機であってもよい。また、暖房機に限らず冷房機であってもよく、その他、湿度調節機能、気流調節機能、浄化機能等を備えるように構成してもよい。
【図面の簡単な説明】
【図１】本発明の一実施形態である暖房機の構成図。
【図２】人体判定制御部の判定処理を示すフローチャート。
【図３】不在時禁止モード制御部の運転制御処理を示すフローチャート。
【図４】タイマ開始時に人が在室している場合のタイムチャート。
【図５】タイマ開始時に人が不在である場合のタイムチャート。
【図６】第２の実施形態の不在時禁止モード制御部の運転制御処理を示すフローチャート。
【図７】第２の実施形態のタイマ開始時に人が不在である場合のタイムチャート。
【符号の説明】
１，３０・・・暖房機、２・・・燃焼部、３・・・操作部、４・・・表示部、５・・・人体検知センサ、６・・・室温センサ、７・・・コントローラ、８・・・バーナ、１０・・・主電磁弁、１１・・・比例制御弁、１２・・・燃焼ファン、１３・・・イグナイタ、１４・・・フレームロッド、１５・・・運転開始スイッチ、１６・・・温度設定スイッチ、１７・・・タイマ設定手段、１８・・・モード切換スイッチ、２１・・・タイマ運転制御部、２２・・・タイマ計時部、２３・・・人体判定制御部、２４・・・不在時禁止モード制御部。
【図１】
2004036990.tif 000003
【図２】
2004036990.tif 000004
【図３】
2004036990.tif 000005
【図４】
2004036990.tif 000006
【図５】
2004036990.tif 000007
【図６】
2004036990.tif 000008
【図７】
2004036990.tif 000009